(57)【特許請求の範囲】
【請求項１】
第２の基地局ユニットへの送信のために、同位相および直角位相（ＩＱ）データを処理するように第１の基地局ユニットを動作する方法であって、
前記第１および第２の基地局ユニットは、両方ともセルラ電気通信ネットワーク中の非集合基地局の一部であり、
前記方法は、
前記第２の基地局ユニットへの送信のために、ＩＱデータに基づいて、第１のデータパッケージを準備するステップと、
前記ＩＱデータと前記第１のデータパッケージとの間の第１のエラー値を決定するステップと、
前記第１のデータパッケージの前記第２の基地局ユニットへの送信を生じさせるステップと、
前記第１のエラー値が第１のエラーしきい値を超えると決定するステップと、
前記第１のエラー値が前記第１のエラーしきい値を超えるという決定に応答して、
前記第２の基地局ユニットへの送信のために、前記ＩＱデータに基づいて、第２のデータパッケージを準備するステップと、ここで、前記ＩＱデータと前記第１および第２のデータパッケージの組み合わせとの間の第２のエラー値は、前記第１のエラー値未満であり、
前記第２のデータパッケージの前記第２の基地局ユニットへの送信を生じさせるステップとを備える、方法。
【請求項２】
前記第１および第２の基地局ユニットは、第１の通信リンクおよび第２の通信リンクによって接続可能であり、
前記第１のデータパッケージの送信を生じさせるステップは、前記第１の通信リンクを通してであり、
前記第２のデータパッケージの送信を生じさせるステップは、前記第２の通信リンクを通してである、請求項１に記載の方法。
【請求項３】
前記第１および第２の通信リンクは、前記第１および第２の基地局ユニット間の別個の通信に基づく、請求項２に記載の方法。
【請求項４】
前記第１および第２の通信リンクは論理的であり、前記第１および第２の基地局ユニット間の同じ接続に基づいている、請求項２に記載の方法。
【請求項５】
前記第１または第２の通信リンクのリソースのセットは、複数のネットワークオペレータ間で共有される、請求項４に記載の方法。
【請求項６】
前記第１または第２の通信リンクが前記第１のデータパッケージの送信のために使用されるべきであるかを決定するステップをさらに備える、請求項２から５のうちのいずれか一項に記載の方法。
【請求項７】
前記第１または第２の通信リンクが前記第１のデータパッケージの送信のために使用されるべきであるかの決定は、前記第１および第２の通信リンクのための１つ以上の性能メトリックの比較に基づいている、請求項６に記載の方法。
【請求項８】
前記第１および第２のデータパッケージは圧縮される、請求項１から７のうちのいずれか一項に記載の方法。
【請求項９】
前記第２のエラー値が第２のエラーしきい値未満であるように、前記第２のデータパッケージのための圧縮比を決定するステップをさらに備える、請求項８に記載の方法。
【請求項１０】
前記非集合基地局は、
少なくとも１つ中央基地局ユニットおよび少なくとも１つの分散基地局ユニットと、ここで、前記第１の基地局ユニットは、前記中央基地局ユニットのうちの１つまたは前記分散基地局ユニットのうちの１つのいずれかであり、
少なくとも１つの中央基地局ユニット、少なくとも１つの分散基地局ユニット、および、少なくとも１つの無線基地局ユニットと、ここで、前記第１の基地局ユニットは、前記分散基地局ユニットのうちの１つまたは前記無線基地局ユニットのうちの１つのいずれかであり、または、
少なくとも１つの中央基地局ユニット、少なくとも１つの分散基地局ユニット、少なくとも１つのフロントホールゲートウェイ、ＦＨＧＷ、および、少なくとも１つの無線基地局ユニットとを含み、ここで、前記第１の基地局ユニットは、前記分散基地局ユニットのうちの１つまたは前記無線基地局ユニットのうちの１つのいずれかである、請求項１から９のうちのいずれか一項に記載の方法。
【請求項１１】
前記第１および第２の基地局ユニット間のセルラ電気通信プロトコルスプリットは、上位物理レイヤから下位物理レイヤへのスプリット、または、下位物理レイヤから無線周波数レイヤへのスプリットである、請求項１から１０のうちのいずれか一項に記載の方法。
【請求項１２】
請求項１から１１のうちのいずれか一項の方法にしたがって、第１の基地局によって処理される第１および第２のデータパッケージを処理するように第２の基地局を動作する方法であって、
前記方法は、前記第１および第２のデータパッケージを組み合わせるステップを備える、方法。
【請求項１３】
前記第２の基地局ユニットにおける使用の際、前記第１または第２の基地局ユニットのいずれかに、伸長動作のインジケータを送信するステップをさらに備える、請求項１から１２のうちのいずれか一項に記載の方法。
【請求項１４】
命令を含むコンピュータプログラムであって、
前記プログラムがコンピュータによって実行されるとき、前記コンピュータに、請求項１から１３のうちのいずれか一項の方法を実行させる、コンピュータプログラム。
【請求項１５】
請求項１４の前記コンピュータプログラムを含む、コンピュータ読取可能搬送媒体。
【請求項１６】
非集合基地局のための第１の基地局ユニットであって、
前記第１の基地局ユニットは、請求項１から１１または１３のうちのいずれか一項の方法を実行するように構成されたプロセッサを有する、第１の基地局ユニット。
【請求項１７】
非集合基地局のための第２の基地局ユニットであって、
前記第２の基地局ユニットは、請求項１２または１３のいずれかの方法を実行するように構成されたプロセッサを有する、第２の基地局ユニット。
【発明の詳細な説明】
【発明の分野】
【０００１】
本発明は、セルラ電気通信ネットワークに関する。
【背景】
【０００２】
セルラ電気通信ネットワークは、コアネットワーク、無線アクセスネットワークおよび複数のユーザ機器（ＵＥ）を備えていてもよい。各ＵＥは、無線アクセスネットワークを介して、コアネットワークに、（インターネットのようなコアネットワークからの任意の前方接続に）アクセスしてもよい。基地局は、無線アクセスネットワークの例である。基地局は、ベースバンド処理として知られるいくつかの機能を実現する。例において、ベースバンド処理は、物理レイヤ（ＰＨＹ）レイヤ機能、媒体アクセス制御（ＭＡＣ）レイヤ機能、無線リンク制御（ＲＬＣ）レイヤ機能、パケットデータコンバージェンスプロトコル（ＰＤＣＰ）レイヤ機能、無線リソース制御（ＲＲＣ）レイヤ機能を含む。
【０００３】
集約された無線アクセスネットワーク（Ｃ−ＲＡＮ）を実現する現代のセルラ電気通信ネットワークでは、基地局機能性は、いくつかのユニットに（ハードウェアで実現される場合、物理的に、または、ソフトウェアが規定したネットワークで実現される場合、論理的にのいずれかで）分割されてもよい。これらは、「非集合（disaggregated）」基地局として知られている。Ｃ−ＲＡＮの２つのユニットの例において、非集合基地局は、中央ユニット（ＣＵ）と分散ユニット（ＤＵ）とに分割されるが、（ベースバンドユニット（ＢＢＵ）および遠隔無線ユニット（ＲＲＵ）のような）他の専門用語が使用されてもよい。ＣＵおよびＤＵは、フロントホールリンクによって接続され、フロントホールリンクは、ワイヤレスまたはワイヤード（典型的には光ファイバ）であってもよい。ＤＵは、無線周波数（ＲＦ）機能（例えば、アナログからデジタルへ、および、デジタルからアナログへの変換）のうちの少なくとも１セットを、および、オプション的に１つ以上のベースバンド処理機能を実現する。ベースバンド処理機能の残りは、ＣＵにおいて実現される。
【０００４】
Ｃ−ＲＡＮの３つのユニットの例において、非集合基地局は、ＣＵ、ＤＵ、および無線ユニット（ＲＵ）に分割される。ＣＵおよびＤＵは、「ミッドホール」リンクによって接続され、ミッドホールリンクも、ワイヤレスまたはワイヤード（典型的には光ファイバ）であってもよく、ＤＵおよびＲＵは、フロントホールリンクによって接続される。このインプリメンテーションにおいて、ＲＵは、ＲＦ機能を、および、オプション的に、１つ以上のベースバンド処理機能（例えば、下位−ＰＨＹ）を実現し、ＤＵは、ベースバンド機能のうちのいくつか（例えば、上位−ＰＨＹ、ＭＡＣおよびＲＬＣ）を実現し、ＣＵは、すべての残りの機能（例えば、ＰＤＣＰおよびＲＲＣ）を実現する。
【０００５】
ＣＵとＤＵと（オプション的に、ＲＵと）の間の機能のスプリットは、「機能スプリット」として知られている。ＰＨＹレイヤ間スプリットまたはＲＦ−ＰＨＹレイヤスプリットのような、いくつかの機能スプリットにおいて、（例えば、ＣＵとＤＵとの間の、または、ＤＵとＲＵとの間の）基地局ユニット間の通信は、同位相および直角位相（ＩＱ）データを利用する。ＰＨＹレイヤ間スプリットについて、基地局ユニットは、周波数−ドメインＩＱデータを使用して通信する一方で、ＲＦ−ＲＰＨＹレイヤは、時間−ドメインＩＱデータを使用して通信する。
【０００６】
周波数−ドメインＩＱデータストリームにおける各ＩＱサンプルは、変調スキームの配列を表す。ＯＲＡＮフロントホールワーキンググループの技術的仕様「制御、ユーザおよび同期化プレーン仕様」ｖ０２．００は、（添付Ｄにおいて）各周波数ドメインＩＱサンプルにおいて使用されるビットの数が変化する、さまざまな周波数−ドメインＩＱサンプル構造を指定している。周波数ドメインＩＱサンプルにおけるビットの数は、「ビット幅」として知られ、（６も１６も含めて））６から１６ビットの範囲であってもよい。これらの異なる周波数ドメインＩＱサンプルビット幅は、異なる圧縮技術を使用して利用可能である。比較的高い圧縮比を有する圧縮技術は、結果としてサンプル毎に比較的少ないビット（すなわち、下位ビット幅）となる一方で、比較的低い圧縮比を有する圧縮技術は、結果としてサンプル毎により多くのビット（すなわち、上位ビット幅）となる。上記のＯＲＡＮ仕様の添付Ａは、使用されてもよい異なる圧縮技術を規定する。結果として、下位ビット幅周波数−ドメインＩＱサンプルになる圧縮技術は、所定の周波数−ドメインＩＱデータストリームに対するフロントホールリンクの容量利用を低減し、したがって、より高いデータスループットを可能にする。しかしながら、これらの圧縮技術には損失がある（すなわち、これらは無損失ではない）ことから、これらは、周波数−ドメインＩＱデータストリームの精度も低減させる。
【０００７】
時間−ドメインＩＱデータストリームにおける各ＩＱサンプルは、単一の無線搬送波に対する単一のアンテナのための時間サンプルを表す。ＣＰＲＩ仕様Ｖ７．０は、時間−ドメインＩＱサンプルビット幅がダウンリンクにおいて（８も２０も含めて）８から２０ビット、アップリンクにおいて（４も２０も含めて）４から２０ビットの間に及ぶことを可能にする、サンプル幅とフォーマットを説明している。アルカテル−ルーセントの会議論文、「ＬＴＥ（登録商標）およびＬＴＥ−Ａ信号のＣ−ＲＡＮへのＣＰＲＩ圧縮伝送」は、これらの異なる時間−ドメインＩＱサンプルビット幅を達成するために使用されてもよい、例示的な圧縮技術を開示している。
【０００８】
ＩＱデータストリームの精度は、ダウンリンクにおけるエラーベクトル振幅（ＥＶＭ）の低減、または、アップリンクにおける信号対干渉プラス雑音比（ＳＩＮＲ）の低減として測定できる。ＩＱデータストリームに対するエラーベクトルの平均振幅、ピーク信号振幅へ正規化は、ＥＶＭである。３ＧＰＰ（登録商標）技術仕様３６．１０４「進化型ユニバーサル地上無線アクセス（Ｅ−ＵＴＲＡ）；基地局（ＢＳ）無線送信および受信」は、セクション６．５．２において、Ｅ−ＵＴＲＡ搬送波に対するいくつかのＥＶＭ要件を以下のように規定している。
【表１】
0006938798.tif 000002
【０００９】
表１は、高次の変調およびコーディングスキーム（ＭＣＳ）が向上したＥＶＭ性能を必要とし、各ＭＣＳに対する最大ＥＶＭ要件があることを図示している。したがって、通信のＥＶＭが最大ＥＶＭ要件内にあるように、基地局ユニットは、ＭＣＳと圧縮技術の適切な組み合わせを選択しなければならない。ＥＶＭが増加する場合、基地局ユニットは、圧縮技術をより大きなビット幅を使用するものに変更すること、または、ＭＣＳをより大きな最大ＥＶＭ要件を有するものに変更することのいずれかによって応答してもよい。ビット幅を増加することへの応答は、結果として、所定のＩＱデータストリームに対するフロントホールリンクの容量利用の増加となる（したがって、達成可能なデータスループットにおける低減となる）。ＭＣＳをより大きな最大ＥＶＭ要件を有するものに変更することへの応答は、スペクトル効率を制限し、したがって、全体的な無線リンク容量を低減する（これは、フロントホールにおける、または、全体的な無線リンクの別の部分における、低減された容量によって実現されるかもしれない）。
【発明の概要】
【００１０】
本発明の第１の態様にしたがうと、第２の基地局ユニットへの送信のために、同位相および直角位相（ＩＱ）データを処理するように第１の基地局ユニットを動作する方法が提供され、第１および第２の基地局ユニットは、両方ともセルラ電気通信ネットワーク中の非集合基地局の一部であり、方法は、第２の基地局ユニットへの送信のために、ＩＱデータに基づいて、第１のデータパッケージを準備するステップと、ＩＱデータと第１のデータパッケージとの間の第１のエラー値を決定するステップと、第１のデータパッケージの第２の基地局ユニットへの送信を生じさせるステップと、第１のエラー値が第１のエラーしきい値を超えると決定するステップと、第１のエラー値が第１のエラーしきい値を超えるという決定に応答して、第２の基地局ユニットへの送信のために、ＩＱデータに基づいて、第２のデータパッケージを準備するステップと、ここで、ＩＱデータと第１および第２のデータパッケージの組み合わせとの間の第２のエラー値は、第１のエラー値未満であり、第２のデータパッケージの第２の基地局ユニットへの送信を生じさせるステップとを備える。
【００１１】
第１および第２の基地局ユニットは、第１の通信リンクおよび第２の通信リンクによって接続可能であってもよく、第１のデータパッケージの送信を生じさせるステップは、第１の通信リンクを通してであってもよく、第２のデータパッケージの送信を生じさせるステップは、第２の通信リンクを通してであってもよい。
【００１２】
第１および第２の通信リンクは、第１および第２の基地局ユニット間の別個の通信に基づいてもよい。第１および第２の通信リンクは論理的であってもよく、第１および第２の基地局ユニット間の同じ接続に基づいていてもよい。
【００１３】
第１または第２の通信リンクのリソースのセットは、複数のネットワークオペレータ間で共有されてもよい。
【００１４】
第１または第２の通信リンクが第１のデータパッケージの送信のために使用されるべきであるかを決定するステップをさらに備えてもよい。第１または第２の通信リンクが第１のデータパッケージの送信のために使用されるべきであるかの決定は、第１および第２の通信リンクのための１つ以上の性能メトリックの比較に基づいていてもよい。
【００１５】
第１および第２のデータパッケージは圧縮されてもよく、方法は、第２のエラー値が第２のエラーしきい値未満であるように、第２のデータパッケージのための圧縮比を決定するステップをさらに備えていてもよい。第２のエラーしきい値は、第１のエラーしきい値未満であるかまたは等しくてもよい。
【００１６】
非集合基地局は、少なくとも１つ中央基地局ユニットおよび少なくとも１つの分散基地局ユニットと、ここで、第１の基地局ユニットは、中央基地局ユニットのうちの１つまたは分散基地局ユニットのうちの１つのいずれかであり、少なくとも１つの中央基地局ユニット、少なくとも１つの分散基地局ユニット、および、少なくとも１つの無線基地局ユニットと、ここで、第１の基地局ユニットは、分散基地局ユニットのうちの１つまたは無線基地局ユニットのうちの１つのいずれかであり、または、少なくとも１つの中央基地局ユニット、少なくとも１つの分散基地局ユニット、少なくとも１つのフロントホールゲートウェイ、ＦＨＧＷ、および、少なくともつの無線基地局ユニットとを含んでいてもよく、ここで、第１の基地局ユニットは、分散基地局ユニットのうちの１つまたは無線基地局ユニットのうちの１つのいずれかである。
【００１７】
第１および第２の基地局ユニット間のセルラ電気通信プロトコルスプリットは、上位物理レイヤから下位物理レイヤへのスプリット、または、下位物理レイヤから無線周波数レイヤへのスプリットであってもよい。
【００１８】
本発明の第２の態様にしたがうと、本発明の第１の態様の方法にしたがって第１の基地局によって処理される第１および第２のデータパッケージを処理するように、第２の基地局を動作する方法が提供され、方法は、第１および第２のデータパッケージを組み合わせるステップを備える。
【００１９】
本発明の第１および第２の態様の方法は、第２の基地局ユニットにおける使用の際、第１または第２の基地局ユニットのいずれかに、伸長動作（decompression operation）のインジケータを送信するステップをさらに備えていてもよい。
【００２０】
本発明の第３の態様にしたがうと、命令を含むコンピュータプログラムが提供され、プログラムがコンピュータによって実行されるとき、コンピュータに、本発明の第１または第２の態様のうちのいずれか１つのステップを実行させる。
コンピュータプログラムは、コンピュータ読取可能搬送媒体上に記憶されてもよい。
【００２１】
本発明の第４の態様にしたがうと、非集合基地局のための第１の基地局ユニットが提供され、第１の基地局ユニットは、本発明の第１の態様のステップを実行するように構成されたプロセッサを有する。
【００２２】
本発明の第５の態様にしたがうと、非集合基地局のための第２の基地局ユニットが提供され、第２の基地局ユニットは、本発明の第２の態様のステップを実行するように構成されたプロセッサを有する。
【図面の簡単な説明】
【００２３】
本発明をより良く理解するために、添付の図面を参照して、単なる例として、本発明の実施形態を説明する。
【図１】図１は、本発明の集約された無線アクセスネットワークの実施形態の概略図である。
【図２】図２は、図1のネットワークの中央ユニットの概略図である。
【図３】図３は、図1の分散ユニットの概略図である。
【図４】図４は、送信ノードによって実現される、本発明の方法の実施形態を図示したフロー図である。
【図５】図５は、例示的な配置図である。
【図６】図６は、受信ノードによって実現される、本発明の方法の実施形態を図示したフロー図である。
【図７】図７は、図４の方法の実施形態を強調した、送信ノードによって実現されるプロセスのフロー図である。
【実施形態の詳細な説明】
【００２４】
本発明のセルラ電気通信ネットワークの第１の実施形態を、図１から３を参照して説明する。図１は、中央ユニット（ＣＵ）１０、分散ユニット（ＤＵ２０）およびユーザ機器（ＵＥ）３０２を含む、集中型無線アクセスネットワーク（Ｃ−ＲＡＮ）の非集合基地局１を図示している。ＣＵ１０およびＤＵ２０は、第１のフロントホールリンク４０と第２のフロントホールリンク５０とによって接続されている。
【００２５】
ＣＵ１０は、図２でより詳細に示される。ＣＵ１０は、第１のフロントホールリンク４０を介してＣＵ１０をＤＵ２０に接続するための第１の通信インターフェース１１と、第２のフロントホールリンク５０を介してＣＵ１０をＤＵ２０に接続するための第２の通信インターフェース１２と、プロセッサ１３と、メモリ１５と、（バックホールリンクを介して）ＣＵ１０をコアネットワークに接続するための第３の通信インターフェース１７とを含み、すべてバス１９を介して接続されている。この実施形態において、第１および第２の通信インターフェース１１、１２は、ＣＵ１０を光ファイバフロントホールリンクに接続するための光ファイバインターフェースであり、第３の通信インターフェース１７も、ＣＵ１０を光ファイババックホールリンクに接続するための光ファイバインターフェースである。しかしながら、ワイヤード接続の別の形態（例えば、ｘＤＳＬ）またはワイヤレス接続の形態（例えば、セルラ電気通信プロトコルにしたがう動作）のような、バックホールリンクおよびフロントホールリンクの他の形態が可能であることを当業者は理解するだろう。
【００２６】
ＤＵ２０は、図３でより詳細に示される。ＤＵ２０は、第１のフロントホールリンク４０を介してＤＵ２０をＣＵ１０に接続するための第１の通信インターフェース２１と、第２のフロントホールリンク５０を介してＤＵ２０をＣＵ１０に接続するための第２の通信インターフェース２２と、プロセッサ２３と、メモリ２５と、アクセスリンクを介してＤＵ２０をＵＥ３０に接続するための第３の通信インターフェース２７とを含み、すべてバス２９を介して接続されている。この実施形態において、第３の通信インターフェース２７は、ＵＥ３０とのワイヤレス通信のためのアンテナへのインターフェースである。
【００２７】
図１に戻ると、セルラ電気通信プロトコルの異なる機能を実行するＣＵ１０とＤＵ２０が示されている。この実施形態において、セルラ電気通信プロトコルのＲＦ機能は、ＤＵ２０の第３の通信インターフェース２７に接続される（図１中に示していない）アンテナによって実行され、ＤＵ２０は、下位物理（ＰＨＹ）レイヤ機能を実行する一方で、ＣＵ１０は、上位ＰＨＹレイヤ機能、媒体アクセス制御（ＭＡＣ）機能、無線リンク制御（ＲＬＣ）機能、パケットデータ集束プロトコル（ＰＤＣＰ）機能、無線リソース制御（ＲＲＣ）機能を含むすべての上位レイヤ機能を実行する。これは、ＰＨＹ間機能スプリットとして知られている。この構成において、ＣＵ１０およびＤＵ２０は、フロントホールリンク４０を通して送信される、周波数−ドメイン同位相および直角位相（ＩＱ）サンプルを使用して通信する。各ＩＱサンプルにおいて使用されるビットの数は、変化してもよく、「ビット幅」として知られている。これらのＩＱサンプルビット幅は（４も１６も含めて）４から１６ビットに及ぶ。これらの異なるＩＱサンプルビット幅は、ＯＲＡＮフロントホールワーキンググループ技術仕様「制御、ユーザおよび同期プレーン仕様」ｖ０２．００の添付Ａにおいて規定されるもののように、異なる圧縮技術を使用して達成可能である。ＣＵおよびＤＵ２０のそれぞれのプロセッサ１３、２３は、これらの圧縮技術のうちの１つ以上を実現できる。
【００２８】
受信機または送信機の性能は、そのエラーベクトル振幅（ＥＶＭ）によって規定されてもよい。ＩＱデータストリーム中の各ＩＱサンプルは、（量子化を通して）オリジナルＩＱサンプルとオリジナルＩＱサンプルを表す信号との間でエラーをもたらす方法で処理されてもよい。これは、エラーベクトルとして測定されてもよい。ピーク信号振幅に正規化される、ＩＱデータストリームにおける複数のＩＱサンプルに対するエラーベクトルの平均振幅が、ＥＶＭである。ＣＵ１０およびＤＵ２０のそれぞれのプロセッサ１３、２３は、各ＩＱサンプルに対するエラーベクトルを計算するように構成されている。
【００２９】
以下の説明は、送信機ＥＶＭに関連する。しかしながら、受信機ＥＶＭも測定可能であり、信号対干渉および雑音比（ＳＩＮＲ）の低減に寄与することに留意すべきである。すなわち、アップリンクトラフィックに対するビット幅の効果は、量子化効果として見なされることもあり、低減されるビット幅は、受信した信号の効果的なＳＩＮＲを劣化させることがある。
【００３０】
ＣＵ１０がコアネットワーク（図示せず）からＩＰデータパケットを受信し、そのＩＰデータパケットを処理して、周波数−ドメインＩＱデータを生成するように、（すなわち、ＲＲＣ、ＰＤＣＰ、ＲＬＣ、ＭＡＣおよび上位ＰＨＹレイヤを介して）ＣＵ１０からＤＵ２０へのデータのダウンリンクフローに関連する図４から６を参照して、本発明の方法の第１の実施形態を説明する。したがって、図４のフロー図において図示されているように、第１のステップ（ステップＳ１０１）において、ＣＵ１０は、ＤＵ２０への送信のための１２ＩＱサンプルのグループを生成する。ＩＱサンプルのこのグループは、以下では、「オリジナル」ＩＱサンプルのグループとして呼ばれる。オリジナルＩＱサンプルのこのグループは、圧縮されず、２４−ビットＩ値および２４−ビットＱ値を含む。オリジナルＩＱサンプルの圧縮されていないグループのトータルサイズは、したがって、５７６−ビット（２＊２４＊１２）である。
【００３１】
ステップＳ１０３において、ＣＵ１０は、特定の変調およびコーディングスキーム（ＭＣＳ）にしたがって、および、特定の圧縮技術を使用することにより、オリジナルＩＱサンプルの圧縮されていないグループを処理する。この実施形態において、圧縮技術は、各ＩおよびＱ値を１０−ビット値に圧縮する。ＣＵ１０はまた、オリジナルＩＱサンプルの圧縮されたグループに対して、４−ビットである、指数値を生成する。オリジナルＩＱサンプルの圧縮されたグループのトータルサイズは、したがって、２４４−ビット（（２＊１２＊１０）＋４）である。オリジナルＩＱサンプルの圧縮されていないグループの代わりに、オリジナルＩＱサンプルの圧縮されたグループのＤＵ２０への送信は、したがって、より少ない帯域幅を必要とするだろう。これは、同様に、より多くのデータスループットが、ＣＵ１０とＤＵ２０との間で達成されてもよいことを意味する。
【００３２】
ステップＳ１０５において、第１のフロントホールリンク４０を通した送信のために、オリジナルＩＱサンプルの圧縮されたグループを準備する。さらに、ＣＵ１０は、ＤＵ２０におけるＩＱデータの精度を向上させるために、追加のデータがＤＵ２０に送信されるべきかを決定する。これを達成するために、ステップＳ１０７において、ステップＳ１０５と並行して、ＣＵ１０は、ＤＵ２０によって使用されるべき伸長技術を使用して、オリジナルＩＱサンプルの圧縮されたグループを伸長することによって、オリジナルＩＱサンプルの圧縮されたグループが精度しきい値を満たすかを最初に決定する。（例えば、ステップＳ１０３において使用されている圧縮技術に基づいて、）ＤＵ２０によって使用されるべき伸長技術をＣＵ１０が決定する展開において、ＣＵは、ＤＵ２０によって使用されるべき伸長技術に対する識別子をパケットヘッダまたは制御メッセージに追加してもよい。代替的に、ＤＵ２０がそれ自体の伸長技術を決定する展開において、使用される伸長技術を（または、どの伸長技術が所定の基準のセットに対して使用されるであろうかを決定するためのその論理を）ＣＵ１０に伝えるために、制御メッセージは、ＤＵ２０からＣＵ１０に送られてもよい。さらなる例において、管理システムは、適切な圧縮および伸長技術を決定し、これをＣＵ１０とＤＵ２０の両方に伝えてもよい。
【００３３】
ステップＳ１０９において、ＣＵ１０は、オリジナルＩＱサンプルの伸長されたグループとオリジナルＩＱサンプルの圧縮されていないグループとを比較する。オリジナルＩＱサンプルの圧縮されていないグループの各ＩＱサンプルは、（図５の配置図に示すような）特定の配置点を表す。図５は、オリジナルＩＱサンプルの圧縮されていないグループのＩＱサンプルと配置点との間の正確なマッピングを示しているが、送信より前の修正（例えば、プレコーティングによる振幅および／または位相の修正）による、わずかな違いがあるかもしれない。それでもなお、ステップＳ１０３において使用される損失のある圧縮技術により、オリジナルＩＱサンプルの伸長されたグループの各ＩＱサンプルと、対応するオリジナルＩＱサンプルの圧縮されていないグループのＩＱサンプルとの間にエラーが存在する。このエラーは、エラーベクトルによって表される。オリジナルＩＱサンプルの伸長されたグループにおける各ＩＱサンプルに対するエラーベクトルの平均振幅は、ＥＶＭ値を計算するために評価される。
【００３４】
図４に戻ると、ステップＳ１１１において、ＣＵ１０は、計算されたＥＶＭ値をエラーしきい値と比較する。このエラーしきい値は、送信の間に生じるかもしれない任意のさらなる障害に適応するために追加の制限（例えば、５％、１０％、１５％等）を有する、関連するＭＣＳに対する最大ＥＶＭ要件に基づいてもよい。計算されたＥＶＭ値がエラーしきい値を下回る場合、（上記のステップＳ１０５において着目したように）オリジナルＩＱサンプルの圧縮されたグループのみが第１のフロントホールリンク４０を通して送信されるように、サブプロセスは終了する。この実施形態において、計算されたＥＶＭ値はエラーしきい値を越え、そこで、ステップＳ１１３において、ＣＵ１０は、エラー値を低減できるかを決定する。この決定に対する例示的なプロセスは、ステップＳ１１５からＳ１２５の議論に続き、以下で説明する。
【００３５】
ステップＳ１１３の決定が否定であり、エラー値が低減できない場合、ＩＱサンプルの将来のグループがこの新たなＭＣＳにおいて処理されるように、より大きなＥＶＭ要件を有するＭＣＳへとスイッチをトリガすることによって、ＣＵ１０は応答する。これは、（より長い時間期間の間にトラフィックを監視する既存のリンク適合技術と比較して）ＩＱサンプルの単一のグループを監視することに基づいてスイッチはトリガされることから、スイッチは、典型的なリンク適合プロセスよりも、より迅速に生じるという利点を有する。ＩＱサンプルの現在のグループについて、オリジナルＩＱサンプルの圧縮されたグループのみがステップＳ１０５において送信され、プロセスは終了する。
【００３６】
この実施形態では、エラー値は低減できるとＣＵ１０は決定し、そこで、ステップＳ１１５において、オリジナルＩＱサンプルの伸張されたグループのＩＱサンプルと、対応するオリジナルＩＱサンプルの圧縮されていないグループのＩＱサンプルとの間の（図５において示すような）追加のＩＱサンプルのグループの各ＩＱサンプルがエラーベクトルを表す、追加のＩＱサンプルのグループを生成する。この例において、追加のＩＱサンプルのグループの各ＩＱサンプルは、２４−ビット値である。
【００３７】
ステップＳ１１７において、追加のＩＱサンプルのグループの各ＩＱサンプルは、（任意の適切な圧縮技術を使用して）Ｚ−ビット値に圧縮される。この例において、Ｚは最初、６に設定される。ステップＳ１１９において、ＣＵ１０は、（上記のＳ１０７と同じ方法で）追加のＩＱサンプルの圧縮されたグループの各Ｚ−ｂｉｔ  ＩＱサンプルを伸長し、ステップＳ１２１において、追加のＩＱサンプルの伸長されたグループの各ＩＱサンプルを、対応するオリジナルＩＱサンプルの伸長されたグループのＩＱサンプルと組み合わせることにより、組み合わされたＩＱサンプルのグループを生成する。ステップＳ１２３において、ＣＵ１０は、組み合わされたＩＱサンプルのグループの各ＩＱサンプルと、その対応するオリジナルＩＱサンプルの圧縮されていないグループのＩＱサンプルとの間で新たなエラーベクトルを決定し、これらの新たなエラーベクトルに対する新たなＥＶＭを計算し、この新たなＥＶＭを（ステップＳ１１１において使用される）エラーしきい値と比較する。新たなＥＶＭがエラーしきい値を下回る場合、Ｚの値は受け入れられ、ステップＳ１２５に進む。新たなＥＶＭがエラーしきい値を超える場合、プロセスはステップＳ１１７にループバックし、追加のＩＱサンプルのグループは、新たな（より大きな）Ｚの値に再度圧縮される。適切な値が見つかるまで、反復ごとに、Ｚの値は１−ビットだけ増加してもよい。
【００３８】
ステップＳ１２５において、ＣＵ１０は、第２のフロントホールリンク５０を介したＤＵへの送信のために、追加のＩＱサンプルの圧縮されたグループを準備する。ＣＵ１０は、ステップＳ１０１にループバックすることによってＩＱサンプルの新たなグループを処理してもよい。
【００３９】
エラー値を低減できるかをＣＵ１０が決定するステップＳ１１３に戻ると、ＣＵ１０は、Ｚの最大の可能性ある値に対してステップＳ１１５からＳ１２３を実行することによって、（この実施形態における）この決定を達成する。ＥＶＭがＺの最大の可能性ある値に対するエラーしきい値を超える場合、決定は否定である。ＥＶＭがエラーしきい値を下回る場合、ＥＶＭがエラーしきい値を下回るＺの最低の可能性ある値を決定するために、プロセスは、上記で説明したようにステップ１１５からＳ１２３を継続する。
【００４０】
ＤＵ２０は、図６中に図示したプロセスを実現する。ステップＳ２０１において、ＤＵ２０は、第１のフロントホールリンク４０を介してオリジナルＩＱサンプルの圧縮されたグループを受信し、これらを、送信を進めることを待つバッファ中に記憶する。ステップＳ２０３において、ＤＵ２０は、第２のフロントホールリンクにおいて、追加のＩＱサンプルの圧縮されたグループを受信したか否かを決定する一方で、オリジナルＩＱサンプルの圧縮されたグループは、ＤＵのバッファ中に記憶されている。これらのそれぞれのパケットヘッダが両方とも同じフレーム識別子、同じスロット識別子、同じ開始物理リソースブロック（ＰＲＢ）識別子、および、同じ数のＰＲＢを含むことから、ＤＵ２０は、追加のＩＱサンプルの圧縮されたグループはオリジナルＩＱサンプルの圧縮されたグループに対応する（すなわち、追加のＩＱサンプルの圧縮されたグループは、オリジナルＩＱサンプルの圧縮されたグループに対するエラーベクトルを表す）ことを決定する。ＤＵ２０が、オリジナルＩＱサンプルの圧縮されたグループがバッファから取り除かれる時間までに、第２のフロントホールリンク５０を介して対応する追加のＩＱサンプルの圧縮されたグループを受信しない場合、プロセスは、ＤＵ２０が第１のフロントホールリンク４０を介して受信したオリジナルＩＱサンプルの圧縮されたグループに関して伸長動作を実行するステップＳ２０５に進み、オリジナルＩＱサンプルの伸長されたグループは、ＤＵ２０によってさらに処理される。ＤＵ２０が、第２のフロントホールリンク４０を介して追加のＩＱサンプルの圧縮されたグループを受信する場合、プロセスは、ステップＳ２０７に進む。
【００４１】
ステップＳ２０７において、ＤＵ２０は、オリジナルＩＱサンプルの圧縮されたグループと追加のＩＱサンプルの圧縮されたグループとの両方に伸長動作を実行してもよい。ステップＳ２０９において、オリジナルＩＱサンプルの伸長されたグループの各ＩＱサンプルは、対応する追加のＩＱサンプルの伸長されたグループのＩＱサンプルと組み合わされ、組み合わされたＩＱサンプルのグループを生成し、これは、その後、ＤＵ２０によってさらに処理される。
【００４２】
上記の実施形態は、ＩＱデータが受信機によって伸長され、デコードされることに成功するように、ＩＱデータストリームに対するＥＶＭがエラーしきい値より下に保たれるという技術的利点を提供する。したがって、上記の実施形態は、（より多くの無線リソースが同じデータレートを維持するために必要とされると、所定のＩＱデータストリームの間、全体の無線リンクに対する容量要件を増加させる）より大きなＥＶＭ要件を有するよりロバストなＭＣＳに、または、（所定のＩＱデータストリームの間、フロントホールに対する容量要件を増加させる）より大きなビット幅を有する圧縮技術に切り替えなければならないことに備えて緩和する。しかしながら、上記の実施形態において、オリジナルＩＱサンプルの各グループは、受信機におけるＥＶＭがエラーしきい値内であるかを予測するように評価され、ＥＶＭはエラーしきい値を超える場合、追加のＩＱサンプルのグループが送られる。オリジナルＩＱサンプルを追加のＩＱサンプルに組み合わせることにより、受信機におけるＥＶＭは、エラーしきい値を下回って低減される。したがって、送信機は、（追加のＩＱサンプルなしで）別の方法でエラーしきい値を超える、同じＭＣＳおよび圧縮技術を維持してもよい。
【００４３】
上記の実施形態のさらなる利点は、ＭＣＳおよび／または別の方法でエラーしきい値を超える圧縮技術を利用することによって実現できる。すなわち、ＣＵ１０は、エラーしきい値を超えるＥＶＭを有するオリジナルＩＱサンプルの圧縮されたグループを準備するように、ＭＣＳおよび／または圧縮技術を使用してもよいが、他の、より好ましい、送信特性（例えば、ＭＣＳ／圧縮技術に関係付けられているより短い処理時間による短い待ち時間）を有してもよく、ＥＶＭをエラーしきい値を下回るように減少させるために、追加のＩＱサンプルのグループを利用してもよい。したがって、上記の実施形態は、別の方法では使用できない（すなわち、追加のＩＱサンプルなく）好ましい送信特性で送信機がＭＣＳおよび／または圧縮技術を使用することを可能にする。したがって、上記の実施形態は、先行技術の方法と比較して、ＩＱデータストリームに対する無線性能を向上させる。
【００４４】
上記の実施形態において、非集合基地局は、２つの基地局ユニット−ＣＵ１０とＤＵ２０に分割される。しかしながら、当業者は、基地局が任意の数の基地局ユニットに分割されてもよいことを理解するだろう。これは、基地局がＣＵ、ＤＵおよび無線ユニット（ＲＵ）に分割される３つのユニット例を含み、ＤＵとＲＵとの間の通信はＩＱデータを利用する。これは、基地局がＣＵ、ＤＵ、フロントホールゲートウェイ（ＦＨＧＷ）およびＲＵに分割される４つのユニット例も含み、（ＦＨＧＷを介した）ＤＵとＲＵとの間の通信は、ＩＱデータを利用する。さらに、ＣＵは、複数のＤＵに接続してもよく、その（または各）ＤＵは、複数のＲＵに接続してもよく、その（または各）ＤＵは、複数のＦＨＧＷに接続してもよく、その（または各）ＦＨＧＷは、複数のＲＵに接続してもよいことを当業者は理解するだろう。
【００４５】
当業者は、これらの基地局ユニット間で通信されるＩＱデータが周波数−ドメインＩＱデータであることは必須ではないことも理解するだろう。上記の実施形態において、これは、ＣＵとＤＵとがＰＨＹ間レイヤスプリットを利用すると使用される。しかしながら、基地局ユニットは、ＰＨＹ／ＲＦレイヤスプリットを利用してもよく、このケースでは、時間−ドメインＩＱデータは、関連する基地局ユニット間（例えば、ＣＵとＤＵとの間、または、ＤＵとＲＵとの間）で通信される。１つの基地局ユニットが複数の他の基地局ユニットに接続される（例えば、ＣＵが複数のＤＵに接続される）場合、基地局ユニットと複数の基地局ユニットとの間の通信は、いずれかの機能スプリットを、したがって、いずれかの周波数−ドメインまたは時間−ドメインＩＱデータを、利用してもよい。ＤＵと複数のＲＵとの間の通信が１つ以上のＦＨＧＷを介したものである４つのユニットの例において、ＦＨＧＷは、周波数−ドメインおよび時間−ドメインＩＱデータの間で変換してもよく、周波数−ドメインＩＱデータを使用してＦＨＧＷはＤＵと通信できるが、各ＲＵは周波数−ドメインまたは時間−ドメインＩＱデータのいずれかを使用してＦＨＧＷと通信できる。複数のＩＱデータフローが通信されるこれらのシナリオにおいて、ＥＶＭが関連するしきい値を上回って増加するように、これらのフローの処理が準最適になり得、このケースでは、上記の実施形態は、これらのエラーを低減し、フロントホールリンクのデータスループットを最大化するために使用されてもよい。
【００４６】
上記の実施形態において、第１および第２のフロントホールリンク４０、５０は、別個の物理的接続である。しかしながら、例えば、ＣＵ１０とＤＵ２０がニュートラルホスティング構成においていくつかのネットワークオペレータによって動作されるとき、これらは、共通の物理的接続上に設けられた論理的に別個のフロントホールリンクであってもよいことから、これは必須ではない。この構成において、各オペレータは、物理的接続上の専用リソースを第１のフロントホールリンクとして利用してもよく、さらに、物理的接続上の共有リソースを第２のフロントホールリンクとして利用してもよい。第１のおよび／または第２のフロントホールリンク４０、５０はまた、共通の基地局ユニットに接続されているいくつか基地局ユニット（例えば、同じＤＵに接続されているいくつかのＲＵ、または、同じＣＵに接続されているいくつかのＤＵ）間で（部分的にまたは完全に）共有されてもよい。さらに、基地局ユニットの第１のペア間を流れるＩＱデータが基地局ユニットの第２のペア間を流れるＩＱデータに優先して送信されるように、基地局ユニットと複数の他の基地局ユニットとの間のトラフィックは、優先順位付けされてもよい。
【００４７】
さらに、上記の実施形態において、ＣＵ１０およびＤＵ２０は、（物理的にまたは論理的にのいずれかで）第１および第２のフロントホールリンクを介して接続される。これは、第１のフロントホールリンクは、オリジナルＩＱサンプルのグループを送信するために、その最大（またはほぼ最大）容量まで利用されてもよく、その後、第２のバックホールリンクは、必要とされるとき、追加のＩＱサンプルのグループを送信するために利用されてもよい、という利益を提供する。しかしながら、これは必須ではない。ＣＵ１０とＤＵ２０は、単一のフロントホールリンクによって接続されてもよく（したがって、オリジナルＩＱサンプルのグループと追加のＩＱサンプルグループの両方は、同じフロントホールリンクを通して送信される）、エラーしきい値を超えるオリジナルＩＱサンプルの各グループに対して追加のＩＱサンプルのグループを送信することにより（エラーしきい値を超えるオリジナルＩＱサンプルの１つ以上のグループにかかわらず、ＩＱデータストリームに対して同じＭＣＳおよび圧縮技術を維持することにより）低減させた帯域幅要件および増加させたデータスループットの利益を実現してもよい。このシナリオにおいて、オリジナルＩＱサンプルのグループは、追加のＩＱサンプルのグループに対する帯域幅を提供するために、フロントホールリンクの総容量の特定の割合（例えば、８０％、９０％、９５％）で送信されてもよい。
【００４８】
上記の実施形態の改良において、ＣＵ１０は、第１および第２のフロントホールリンク４０、５０を監視するための追加のプロセスを実現してもよい。これは、図７を参照して説明する。最初に、第１のフロントホールリンク４０は、オリジナルＩＱサンプルの送信のために使用され（したがって、「１次」フロントホールリンクである）、第２のフロントホールリンク５０は、追加のＩＱサンプルのグループを送信するために使用される（したがって「２次」フロントホールリンクである）。
【００４９】
第１のステップ（Ｓ３０１）において、ＣＵ１０は、追加のＩＱサンプルが生成されたかを決定するための監視動作を実行する。生成された場合、プロセスは以下で説明するステップＳ３０７に進む。生成されない場合、ＣＵ１０は、第２のフロントホールリンクは現在利用可能（すなわち、ＣＵ１０とＤＵ２０との間の通信中の使用のために構成される）かを決定する（ステップ３０３）。第２のフロントホールリンク５０が現在利用可能でない場合、この間監視期間に対するプロセスは終了する。第２のフロントホールリンク５０が現在利用可能である場合、ステップＳ３０５において、ＣＵ１０は、（ＣＵ１０とＤＵ２０との間の、同じ第２のフロントホールリンク５０を利用する他の何らかのＣＵ／ＤＵの間の、任意の将来のデータフロー、または、非集合基地局１に関係付けられていない他の何らかのトラフィックに対して）第２のフロントホールリンク５０は依然として必要とされるかを決定する。第２のフロントホールリンク５０が依然として必要とされない場合、（ステップＳ３０６において）別のエンティティによって（排他的にまたは別な方法で）使用されてもよいように（例えば、共有物理的接続のリソースは、論理的に別のエンティティに再割り当てされてもよい）、ＣＵ１０は、第２のフロントホールリンク５０を無効するか、または、第２のフロントホールリンク５０の再構成を開始する。ＣＵ１０が第２のフロントホールリンク５０依然として必要とされていると決定する場合、プロセスは、この監視期間に対して終了する。
【００５０】
ステップＳ３０１に戻ると、ＣＵ１０は、第２のフロントホールリンク５０は必要とされると決定してもよく、プロセスはステップＳ３０７に進み、ステップＳ３０７において、ＣＵ１０は、第２のフロントホールリンク５０は現在利用可能であるかを決定する。第２のフロントホールリンク５０は現在利用可能でない場合、ＣＵ１０とＤＵ２０との間の通信のために、第２のフロントホールリンク５０は可能にされ、構成される。ステップＳ３０７およびＳ３０９のいずれかに続いて、ＣＵ１０は、１次および２次フロントホールリンクの現在の指定を切り替えるべきかを決定する（ステップＳ３１１）。この決定は、以下のメトリック：容量、待ち時間、ジッタ、信頼性、干渉、および、スループットのうちの１つ以上の比較に基づいてもよい。決定はまた、これらのメトリックの重み付けされた組み合わせに基づいてもよく、メトリックおよび／または重み付けがサービスの優先度にしたがって適合されるように、提供されているサービスに調整されてもよい。この決定が肯定である場合、その後（ステップＳ３１３において）第２のフロントホールリンク５０が１次フロントホールリンクになり、したがって、オリジナルＩＱサンプルの圧縮されたグループの送信のために使用され、第１のフロントホールリンク４０が２次フロントホールリンクになり、したがって、追加のＩＱサンプルの圧縮されたグループの送信のために使用されるように、１次／２次フロントホールリンクの指定が切り替えられる。２次フロントホールリンク５０に対する適切なＭＣＳおよび圧縮技術を使用するために、この切り替えは、いったんＣＵのバッファ中のすべてのＩＱデータが送信される、または、代わりに、オリジナルＩＱサンプルの圧縮されたグループが再処理されるのいずれかで生じてもよく（これは、関連送信ウインドウを超えることなく再処理されてもよい、ＣＵのバッファ中のオリジナルＩＱサンプルの他の何らかのグループに対しても実行されてもよい）、したがって、ＣＵ１０によってすでに処理されており、送信の準備ができている、オリジナルＩＱサンプルのグループに関連する追加のＩＱサンプルの任意の圧縮されたグループは、上記の実施形態のステップＳ１１７からＳ１２５にしたがって再処理される。
【００５１】
ステップ３１１における決定が否定である場合、１次および２次リンクの指定は維持される。
【００５２】
ＩＱサンプルが１２のグループで処理されることは必須ではないことを、当業者は理解するだろう。すなわち、単一のＩＱサンプル、または、任意のサイズのＩＱサンプルのグループは、上記で説明した方法で処理されてもよい。
【００５３】
上記の実施形態において、Ｚの値（追加のＩＱサンプルの圧縮されたグループ中の各ＩＱサンプルに対するビットの数）を決定するために、サブプロセスが使用されてもよく、ＥＶＭがエラーしきい値よりも大きくなるまで、Ｚの値は最小値から増加される。Ｚの値は、反復毎に１−ビットだけ、または、別の増加値だけ、増加してもよい（したがって、サブプロセスによってもたらさせる任意の待ち時間により精度をバランスさせる）。さらに、このサブプロセスは、必須ではなく、代わりにＺの値は固定されてもよく、無線性能フィードバックに基づいて、または、２次フロントホールリンクの利用可能な帯域幅に基づいて調節されてもよい。
【００５４】
上記の実施形態において、Ｚの最大値に対して、評価ステップＳ１１５からＳ１２３によって、ビット幅における増加が、エラー値を低減させるかが決定される。しかしならがら、これも必須ではない。代替的に、これは、（例えば、較正位相に基づく）デバイスの既知のハードウェア制限に基づいてもよく、または、例えば、有効ビット数（ＥＮＯＢ）を評価することによってもよい。
【００５５】
上記の実施形態は、ダウンリンク（ＣＵからＤＵ）およびアップリンク（ＤＵからＣＵ）トラフィックの両方で実現できることを当業者は理解するだろう。
【００５６】
上記の実施形態において、追加のＩＱサンプルのグループの各ＩＱサンプルは、オリジナルＩＱサンプルの伸長されたグループのＩＱサンプルと、対応するオリジナルＩＱサンプルの圧縮されていないグループのＩＱサンプルとの間のエラーベクトルを表す。しかしながら、これは必須ではない。別のインプリメンテーションでは、オリジナルＩＱサンプルの圧縮されたグループの各ＩＱサンプルは、オリジナルＩＱサンプルの最も重要なビットを表してもよく、追加のＩＱサンプルの圧縮されたグル―プの各ＩＱサンプルは、オリジナルＩＱサンプルの次に最も重要なビットのうちのいくつかまたはすべてを表してもよい。追加のＩＱサンプルはまた、組み合わされた値をスケーリングするための新たな方法を含んでいてもよい。
【００５７】
特徴の任意の組み合わせが本発明の範囲内で可能であることを、当業者は理解するだろう。
以下に本願の出願当初の特許請求の範囲に記載された発明を付記する。
［Ｃ１］
第２の基地局ユニットへの送信のために、同位相および直角位相（ＩＱ）データを処理するように第１の基地局ユニットを動作する方法であって、
前記第１および第２の基地局ユニットは、両方ともセルラ電気通信ネットワーク中の非集合基地局の一部であり、
前記方法は、
前記第２の基地局ユニットへの送信のために、ＩＱデータに基づいて、第１のデータパッケージを準備するステップと、
前記ＩＱデータと前記第１のデータパッケージとの間の第１のエラー値を決定するステップと、
前記第１のデータパッケージの前記第２の基地局ユニットへの送信を生じさせるステップと、
前記第１のエラー値が第１のエラーしきい値を超えると決定するステップと、
前記第１のエラー値が前記第１のエラーしきい値を超えるという決定に応答して、
前記第２の基地局ユニットへの送信のために、前記ＩＱデータに基づいて、第２のデータパッケージを準備するステップと、ここで、前記ＩＱデータと前記第１および第２のデータパッケージの組み合わせとの間の第２のエラー値は、前記第１のエラー値未満であり、
前記第２のデータパッケージの前記第２の基地局ユニットへの送信を生じさせるステップとを備える、方法。
［Ｃ２］
前記第１および第２の基地局ユニットは、第１の通信リンクおよび第２の通信リンクによって接続可能であり、
前記第１のデータパッケージの送信を生じさせるステップは、前記第１の通信リンクを通してであり、
前記第２のデータパッケージの送信を生じさせるステップは、前記第２の通信リンクを通してである、Ｃ１に記載の方法。
［Ｃ３］
前記第１および第２の通信リンクは、前記第１および第２の基地局ユニット間の別個の通信に基づく、Ｃ２に記載の方法。
［Ｃ４］
前記第１および第２の通信リンクは論理的であり、前記第１および第２の基地局ユニット間の同じ接続に基づいている、Ｃ２に記載の方法。
［Ｃ５］
前記第１または第２の通信リンクのリソースのセットは、複数のネットワークオペレータ間で共有される、Ｃ４に記載の方法。
［Ｃ６］
前記第１または第２の通信リンクが前記第１のデータパッケージの送信のために使用されるべきであるかを決定するステップをさらに備える、Ｃ２から５のうちのいずれか一項に記載の方法。
［Ｃ７］
前記第１または第２の通信リンクが前記第１のデータパッケージの送信のために使用されるべきであるかの決定は、前記第１および第２の通信リンクのための１つ以上の性能メトリックの比較に基づいている、Ｃ６に記載の方法。
［Ｃ８］
前記第１および第２のデータパッケージは圧縮される、Ｃ１から７のうちのいずれか一項に記載の方法。
［Ｃ９］
前記第２のエラー値が第２のエラーしきい値未満であるように、前記第２のデータパッケージのための圧縮比を決定するステップをさらに備える、Ｃ８に記載の方法。
［Ｃ１０］
前記非集合基地局は、
少なくとも１つ中央基地局ユニットおよび少なくとも１つの分散基地局ユニットと、ここで、前記第１の基地局ユニットは、前記中央基地局ユニットのうちの１つまたは前記分散基地局ユニットのうちの１つのいずれかであり、
少なくとも１つの中央基地局ユニット、少なくとも１つの分散基地局ユニット、および、少なくとも１つの無線基地局ユニットと、ここで、前記第１の基地局ユニットは、前記分散基地局ユニットのうちの１つまたは前記無線基地局ユニットのうちの１つのいずれかであり、または、
少なくとも１つの中央基地局ユニット、少なくとも１つの分散基地局ユニット、少なくとも１つのフロントホールゲートウェイ、ＦＨＧＷ、および、少なくともつの無線基地局ユニットとを含み、ここで、前記第１の基地局ユニットは、前記分散基地局ユニットのうちの１つまたは前記無線基地局ユニットのうちの１つのいずれかである、Ｃ１から９のうちのいずれか一項に記載の方法。
［Ｃ１１］
前記第１および第２の基地局ユニット間のセルラ電気通信プロトコルスプリットは、上位物理レイヤから下位物理レイヤへのスプリット、または、下位物理レイヤから無線周波数レイヤへのスプリットである、Ｃ１から１０のうちのいずれか一項に記載の方法。
［Ｃ１２］
Ｃ１から１１のうちのいずれか一項の方法にしたがって、第１の基地局によって処理される第１および第２のデータパッケージを処理するように第２の基地局を動作する方法であって、
前記方法は、前記第１および第２のデータパッケージを組み合わせるステップを備える、方法。
［Ｃ１３］
前記第２の基地局ユニットにおける使用の際、前記第１または第２の基地局のいずれかのユニットに、伸長動作のインジケータを送信するステップをさらに備える、Ｃ１から１２のうちのいずれか一項に記載の方法。
［Ｃ１４］
命令を含むコンピュータプログラムであって、
前記プログラムがコンピュータによって実行されるとき、前記コンピュータに、Ｃ１から１３のうちのいずれか一項のステップを実行させる、コンピュータプログラム。
［Ｃ１５］
Ｃ１４の前記コンピュータプログラムを含む、コンピュータ読取可能搬送媒体。
［Ｃ１６］
非集合基地局のための第１の基地局ユニットであって、
前記第１の基地局ユニットは、Ｃ１から１１または１３のうちのいずれか一項のステップを実行するように構成されたプロセッサを有する、第１の基地局ユニット。
［Ｃ１７］
非集合基地局のための第２の基地局ユニットであって、
前記第２の基地局ユニットは、Ｃ１２または１３のいずれかのステップを実行するように構成されたプロセッサを有する、第２の基地局ユニット。
【図１】
0006938798.tif 000003
【図２】
0006938798.tif 000004
【図３】
0006938798.tif 000005
【図４】
0006938798.tif 000006
【図５】
0006938798.tif 000007
【図６】
0006938798.tif 000008
【図７】
0006938798.tif 000009